(57)【要約】【課題】  利用者の存在および方位を検知して複数のヒータを自動的に選択的に点灯させることで、消費電力の節減を図れる全方向反射型電気ストーブを提供する。【解決手段】  円周上のあらゆる方向にヒータからの輻射熱を反射できる全方向反射型電気ストーブにおいて、前記ヒータ６〜９を円周上に複数個に分割して反射板４、５上に配設し、利用者の存在方位を検知する人感センサ１１をストーブ１に配設するとともに、該人感センサ１１により検知した利用者の存在方位側のヒータ６〜９のいずれかを点灯するように構成した制御手段を設けたことにより、ストーブ１の周囲における利用者の位置、人数等に対応してストーブ１における複数のヒータ６〜９のいずれかを自動的に選択して点灯することができるので、利用者に対して適切な暖房を行うべくヒータの点灯制御が行われて、消費電力を利用者の人数等に応じて適正に節減することが可能となる。【選択図】  図１
2007139217.tif 000002
【特許請求の範囲】
【請求項１】
円周上のあらゆる方向にヒータからの輻射熱を反射できる全方向反射型電気ストーブにおいて、前記ヒータを円周上に複数個に分割して反射板上に配設し、利用者の存在方位を検知する人感センサをストーブに配設するとともに、該人感センサにより検知した利用者の存在方位側のヒータを点灯するように構成した制御手段を設けたことを特徴とする全方向反射型電気ストーブ。
【請求項２】
前記人感センサを、円周上の複数位置に配設した赤外線センサ等を１か所に纏めたもの、あるいは回転する赤外線センサ等から構成するとともに、該人感センサをストーブの天板上に設置したことを特徴とする請求項１に記載の全方向反射型電気ストーブ。
【請求項３】
前記人感センサを、ストーブの台座上の円周上の複数位置に配設した複数の赤外線センサ等から構成したことを特徴とする請求項１に記載の全方向反射型電気ストーブ。
【請求項４】
前記ヒータを配設した反射板を少なくとも上下一対組み合わせて設置したことを特徴とする請求項１から３のいずれかに記載の全方向反射型電気ストーブ。
【請求項５】
前記反射板は、円弧状のヒータを焦点とする略放物線断面を回転して形成される反射面を有することを特徴とする請求項１から４のいずれかに記載の全方向反射型電気ストーブ。
【請求項６】
前記人感センサが利用者の不在を検知してから、所定時間経過後にヒータの通電が遮断される遅延回路を前記制御手段に設置したことを特徴とする請求項１から５のいずれかに記載の全方向反射型電気ストーブ。
【請求項７】
前記ストーブに、人感センサによる利用者の存在方位に基づいた複数のヒータの点灯制御を行うとともに、複数のヒータを強制的に選択点灯を行う設定スイッチを設置したことを特徴とする請求項１から６のいずれかに記載の全方向反射型電気ストーブ。
【発明の詳細な説明】
【技術分野】
【０００１】
本発明は、円周上のあらゆる方向にヒータからの輻射熱を反射できる全方向反射型電気ストーブに関する。
【背景技術】
【０００２】
暖房器具のひとつであるストーブは、熱源であるヒータの種類により、様々なものが提案されて使用されてきた。薪、石炭、ガス、電熱、遠赤外線セラミック等は、それぞれが特徴的な熱源として、用途に合わせて現在も多用されている。比較的狭い空間であるトイレや子供部屋等のコーナー等でのパーソナルな使用の場合は、熱源からの輻射熱は一方向にのみ照射されればよい。したがって、反射板によるヒータからの反射は比較的平板に構成されていればよかった。ところが、近年のヒータの進歩によって、コンパクトなサイズのストーブであっても、多人数が寄り集まる比較的広い会議室やサロン等での使用が可能になってきた。そのようなことから、部屋の中心に設置してヒータからの輻射熱が円周上のあらゆる方向に照射される全方向（全方位）ストーブが開発されるようになった。そのような全方向ストーブとして下記特許文献１に開示されたものが提案された。
【特許文献１】特開２００３−９７８１１号公報（公報請求項１および図３参照）。
【発明の開示】
【発明が解決しようとする課題】
【０００３】
前記特許文献１に開示された遠赤外線暖房機を図５により簡単に説明する。遠赤外線放射板２６と、面状発熱体２７と、断熱材２８と、金属製の押え板２９とを、前記遠赤外線放射板２６が最外周となるように順次重ね合わせてなる略半円筒形状の発熱パネルユニット２２、２２’の一対が、暖房機の基台２１に垂設された取付け用筒状金属板３０の外周面に略円筒形状になるように対向して固定されて構成されたものである。このように構成したことによって、二分された一対の発熱パネルユニット２２、２２’の組合せとすることで、全方向ストーブが容易に得られて、組立作業も容易となり、面状発熱体２７の耐久性が向上して信頼性が得られることとなった。しかしながら、前記従来例のものでは、一対の略半円筒形状の発熱パネルユニット２２、２２’の端部の対向面は、止め板金３３により固定されるため、この部分に発熱体としての欠損（死角）を生じて一様な輻射熱の放射に支障を来す虞れがあった。
【０００４】
そのようなことから、死角のない円周方向３６０度の全ての方向にヒータからの輻射熱が反射される反射板を用いた全方向反射型電気ストーブが提案された。ところが、このような全方向反射型電気ストーブでは、円周方向３６０度の全ての方向にヒータからの輻射熱を反射させる必要があるため、ヒータを円弧状としてほぼ全周に配置しなければならず、消費電力の増大は免れなかった。そこで、ヒータを複数個に分割して、強中弱スイッチによる選択的通電によって消費電力の節減を図る必要があった。
【０００５】
そこで本発明は、前記全方向反射型電気ストーブをさらに改良して、利用者の存在および方位を検知して複数のヒータを自動的に選択的に点灯させることで、消費電力の節減を図れる全方向反射型電気ストーブを提供することを目的とする。
【課題を解決するための手段】
【０００６】
そのため本発明は、円周上のあらゆる方向にヒータからの輻射熱を反射できる全方向反射型電気ストーブにおいて、前記ヒータを円周上に複数個に分割して反射板上に配設し、利用者の存在方位を検知する人感センサをストーブに配設するとともに、該人感センサにより検知した利用者の存在方位側のヒータを点灯するように構成した制御手段を設けたことを特徴とする。また本発明は、前記人感センサを、円周上の複数位置に配設した赤外線センサ等を１か所に纏めたもの、あるいは回転する赤外線センサ等から構成するとともに、該人感センサをストーブの天板上に設置したことを特徴とする。また本発明は、前記人感センサを、ストーブの台座上の円周上の複数位置に配設した複数の赤外線センサ等から構成したことを特徴とする。また本発明は、前記ヒータを配設した反射板を少なくとも上下一対組み合わせて設置したことを特徴とする。また本発明は、前記反射板は、円弧状のヒータを焦点とする略放物線断面を回転して形成される反射面を有することを特徴とする。また本発明は、前記人感センサが利用者の不在を検知してから、所定時間経過後にヒータの通電が遮断される遅延回路を前記制御手段に設置したことを特徴とする。また本発明は、前記ストーブに、人感センサによる利用者の存在方位に基づいた複数のヒータの点灯制御を行うとともに、複数のヒータを強制的に選択点灯を行う設定スイッチを設置したことを特徴とするもので、これらを課題解決の手段とするものである。
【発明の効果】
【０００７】
本発明では、円周上のあらゆる方向にヒータからの輻射熱を反射できる全方向反射型電気ストーブにおいて、前記ヒータを円周上に複数個に分割して反射板上に配設し、利用者の存在方位を検知する人感センサをストーブに配設するとともに、該人感センサにより検知した利用者の存在方位側のヒータを点灯するように構成した制御手段を設けたことにより、ストーブの周囲における利用者の位置、人数等に対応してストーブにおける複数のヒータを自動的に選択して点灯することができるので、利用者に対して適切な暖房を行うべくヒータの点灯制御が行われて、消費電力を利用者の人数等に応じて適正に節減することが可能となる。
【０００８】
また、前記人感センサを、円周上の複数位置に配設した赤外線センサ等を１か所に纏めたもの、あるいは回転する赤外線センサ等から構成するとともに、該人感センサをストーブの天板上に設置した場合は、人感センサを１か所に纏めることができて、構成が簡素となる。さらに、前記人感センサを、ストーブの台座上の円周上の複数位置に配設した複数の赤外線センサ等から構成した場合は、利用者の存在する方位の分解能が向上して、検知精度が向上する。
【０００９】
さらにまた、前記ヒータを配設した反射板を少なくとも上下一対組み合わせて設置した場合は、熱量が倍となるのみならず、複数の分割された上下それぞれのヒータの選択的点灯制御により、より細かい制御が可能となる。また、前記反射板は、円弧状のヒータを焦点とする略放物線断面を回転して形成される反射面を有する場合は、全周において発熱したヒータからの熱が略放物線断面の反射面により略水平方向に輻射して放射される。放物線の形状を調整すれば、水平方向から上下の広角にも熱を放射させることができる。
【００１０】
さらに、前記人感センサが利用者の不在を検知してから、所定時間経過後にヒータの通電が遮断される遅延回路を前記制御手段に設置した場合は、利用者が不在となってもヒータの消し忘れを防止することができて、無駄な消費電力を費やすことはない。さらにまた、前記ストーブに、人感センサによる利用者の存在方位に基づいた複数のヒータの点灯制御を行うとともに、複数のヒータを強制的に選択点灯を行う設定スイッチを設置した場合は、人感センサによる自動制御に加えて、利用者の存在方向や人数に無関係に強制的にヒータの点灯を選択することも可能となる。
【発明を実施するための最良の形態】
【００１１】
以下、本発明の全方向反射型電気ストーブの実施例を図面に基づいて説明する。図１は本発明の全方向反射型電気ストーブの第１実施例を示す全体斜視図、図２はその制御手段である制御回路を含む制御ブロック図、図３はヒータの点灯組合および消費電力例を示す表図、図４は本発明の全方向反射型電気ストーブの第２実施例を示す全体斜視図である。本発明の全方向反射型電気ストーブの基本的な構成は、図１に示すように、円周上のあらゆる方向にヒータからの輻射熱を反射できる全方向反射型電気ストーブにおいて、前記ヒータ６、７、８、９を円周上に複数個に分割して反射板４、５上に配設し、利用者の存在方位を検知する人感センサ１１をストーブ１に配設するとともに、該人感センサ１１により検知した利用者の存在方位側のヒータを点灯するように構成した制御手段を設けたことを特徴とする。
【実施例１】
【００１２】
以下、詳細に説明する。図１は本発明の全方向反射型電気ストーブの第１実施例を示す全体斜視図である。本実施例のものでは、ストーブ１は台座３内に制御手段である制御回路（図２の符号１５）やスイッチング手段（図２のＳＷ）が収納されている。台座３上には２段からなる上段全周反射板４と下段全周反射板５とが起立設置され、上段全周反射板４の上部には天板２が載置して設置される。天板２の適宜の直径対向位置には、ストーブ１を吊り下げて運搬するための把手１２、１２が形成される。前記上段全周反射板４と下段全周反射板５のそれぞれの周囲には、２分割された上段前面ヒータ６、上段後面ヒータ７と下段前面ヒータ８、下段後面ヒータ９とが配設される。上段ヒータおよび下段ヒータはそれぞれ２以上に分割され得る。また、上段全周反射板４および下段全周反射板５は２段以上に構成され得る。
【００１３】
これらの各ヒータ６〜９を周囲に配設した上下段全周反射板４、５のさらに外側の周囲には、天板２と台座３との間に安全ネット１４が張設される。台座３上の適宜位置には設定スイッチ１０が回動自在に設置される。該設定スイッチ１０は、後述する各ヒータ６〜９の自動点灯制御モードはもとより、電源オフ、各ヒータ６〜９の強制的な手動選択点灯モード（強中弱）が可能である。符号１３は電源コードである。本実施例では、天板２の略中央には赤外線センサ等からなる１つの人感センサ１１が設置される。人感センサ１１はドーム型を呈しており、内部にはさらに複数の赤外線センサ等が収納されている。
【００１４】
図示の例では、前後左右の４つの赤外線センサからなる前面センサ１１Ａ、後面センサ１１Ｂ、左面センサ１１Ｃおよび右面センサ１１Ｄが収納されるが、全方位をカバーするためには少なくとも３個は必要である。あるいは、１つの人感センサ１１としては、回転する赤外線センサを収納して、時分割して検知信号を発しつつ回転することで、利用者の方位を検知するように構成することもできる。
【００１５】
前記上段および下段の全周反射板４、５は、円筒状でもよいが、好適には、分割された円弧状のヒータ６、７や８、９を焦点とする略放物線断面を回転して形成される反射面を有する。このように構成されているので、全周反射板４、５上の全周において発熱したヒータ６〜９からの熱が、略放物線断面の反射面により３６０度あらゆる方向の略水平方向に輻射して放射される。放物線の形状を調整すれば、水平方向から上下の広角にも熱を放射させることができる。符号１６はヒータ６〜９に制御回路１５からの電力を供給するための引込線を示す。
【００１６】
このような構成の全方向反射型電気ストーブの点灯制御について以下に詳述する。ストーブ１の台座３に設置された設定スイッチ１０をオフの位置から、強中弱の手動選択点灯モードに回動させると、各ヒータ６〜９への部分通電あるいは全体通電により強制的に定められた複数のヒータの組合せのもの（例えば、上段ヒータ６、７のみの点灯、下段８、９のみの点灯、全ヒータの点灯）を点灯させて、強中弱のモードを選択することができる。設定スイッチ１０をさらに回動すると、自動点灯制御モードを選ぶことができる。
【００１７】
図２は本発明の全方向反射型電気ストーブの制御手段である制御回路を含む制御ブロック図である。センサ（人感センサ）１１は天板２の上部に設置され、設定スイッチ１０は台座３の適宜位置に設置される。ヒータ６〜９は上下段の全周反射板４、５の周囲に配設される。制御回路１５とスイッチング手段ＳＷは台座３の中に収納される。人感センサ１１内には前後左右に４つの赤外線センサ１１Ａ、１１Ｂ、１１Ｃおよび１１Ｄが収納されており、ストーブ１に対して利用者が存在する前後左右の方位を検知する。例えば利用者がストーブ１の前方に居れば前面センサ１１Ａがこれを検知し、利用者が左前方に居れば前面センサ１１Ａと左面センサ１１Ｃとが利用者を検知する。制御回路１５内では、これらの赤外線センサ１１Ａ〜１１Ｄからの検知情報に基づいて、各スイッチング手段ＳＷを介して上下前後のヒータ６〜９の中の利用者が存在する方位側のものを自動的に選択して点灯することができる。
【００１８】
図３は本発明の全方向反射型電気ストーブにおけるヒータの点灯組合および消費電力例を示す表図である。上段前面ヒータ６、上段後面ヒータ７、下段前面ヒータ８、下段後面ヒータ９の各々は例えば２００Ｗの消費電力を持つヒータとした場合に、それぞれを点灯したときの消費電力を示すとともに、ヒータ点灯組合例を示したもので、利用者の存在方位に応じて、それぞれのヒータ６〜９が自動的に選択されて点灯制御（白丸は点灯、黒丸は消灯を表す）される例を示した。上段と下段のヒータの分割部の位置をずらせたり、上段あるいは下段の各ヒータを４分割すれば、さらに利用者の存在方位に応じて点灯すべきヒータの選択を行う方位制御の精度を上げて点灯制御をよりきめ細かに行うことが可能となる。
【実施例２】
【００１９】
図４は本発明の全方向反射型電気ストーブの第２実施例を示す全体斜視図である。本実施例のものでは、利用者の存在の方位を検知する人感センサ１１を、ストーブ１の台座３上の円周上の複数位置に配設した複数の赤外線センサ等から構成したものである。図示の例では、前後左右の４か所にドーム型の前面センサ１１Ａ、後面センサ１１Ｂ（台座３の裏面で見えない）、左面センサ１１Ｃ、右面センサ１１Ｄが設置される。その他の構成は前記実施例１のものと同様なので説明を省略する。本実施例のものは、人感センサ１１は前記実施例１のもののように１か所に纏められていないので、利用者の存在する方位の分解能が向上して検知精度が向上するので、比較的適正に利用者に対応させて各ヒータの点灯制御が行える。
【００２０】
なお、図示しての詳述はしないが、前記人感センサ１１が利用者の不在を検知してから、所定時間経過後にヒータ６〜９の通電が遮断される遅延回路を制御手段である制御回路１５に設置した場合は、利用者が不在となってもヒータ６〜９の消し忘れを防止することができて、無駄な消費電力を費やすことはない。
【００２１】
以上、本発明の実施例について説明してきたが、本発明の趣旨の範囲内にて、ヒータの形状（平面視で分割された円弧状が好適、分割個数、その断面についても円形棒状等）、形式（電熱ヒータ、ハロゲンランプ、セラミックヒータ等）および消費電力値（図３の表図の例は分割されたヒータは１つ２００Ｗであるがこれに限定されない）、全周反射板の形状（円筒形、断面略放物線の回転体）、形式、段数（好適には２以上の複数段）およびその材質、ヒータの引込線の配設形態（好適には全周反射板に穿設した孔を通じて台座内の制御回路に接続される）、人感センサーの形状、形式（赤外線センサー等、利用者の方位を検知するための複数の赤外線センサーの配置等の他、回転式の１つの赤外線センサーによるもの等）およびそのスト−ブへの設置形態（天板や台座の周囲等、ヒータ自体の影響を受けにくい部位への設置等）、制御手段である制御回路の形状、形式、人感センサによる利用者不在検知後の遅延回路による通電遮断形態、設定スイッチの点灯制御形態等については適宜選定することができる。
【図面の簡単な説明】
【００２２】
【図１】本発明の全方向反射型電気ストーブの第１実施例を示す全体斜視図である。
【図２】同、その制御手段である制御回路を含む制御ブロック図である。
【図３】同、ヒータの点灯組合および消費電力例を示す表図である。
【図４】本発明の全方向反射型電気ストーブの第２実施例を示す全体斜視図である。
【図５】従来の遠赤外線暖房機の斜視図である。
【符号の説明】
【００２３】
１      ストーブ
２      天板
３      台座
４      上段全周反射板
５      下段全周反射板
６      上段前面ヒータ
７      上段後面ヒータ
８      下段前面ヒータ
９      下段後面ヒータ
１０      設定スイッチ
１１      人感センサ
１１Ａ    前面センサ
１１Ｂ    後面センサ
１１Ｃ    左面センサ
１１Ｄ    右面センサ
１２      把手
１３      電源コード
１４      安全ネット
１５      制御回路（手段）
１６      ヒータ引込線
【図１】
2007139217.tif 000003
【図２】
2007139217.tif 000004
【図３】
2007139217.tif 000005
【図４】
2007139217.tif 000006
【図５】
2007139217.tif 000007